(57)【要約】【課題】建築作業におけるユーザの作業の効率化および安全な作業の実施を可能とする。【解決手段】作業支援装置（１００）は、通信端末（２００）にて入力された検索条件に応じて、建築作業の補助となる技能動画（３４）と、当該動画データに関連付けられた、前記建築作業を安全に実施するための留意事項を示す安全データ（３５）とを検索する動画検索部（２２）と、前記動画データおよび前記安全データを前記通信端末へ送信する通信部（１０）と、を備えている。【選択図】図１
2019079361.tif 000002
【特許請求の範囲】
【請求項１】
通信端末と通信可能な作業支援装置であって、
前記通信端末にて入力された検索条件に応じて、建築作業の補助となる動画データと、当該動画データに関連付けられた、前記建築作業を安全に実施するための留意事項を示す安全データとを検索する動画検索部と、
前記動画データおよび前記安全データを前記通信端末へ送信する送信部と、を備えている
ことを特徴とする作業支援装置。
【請求項２】
前記安全データは、建築作業の種類を示すカテゴリ情報に基づいて、前記動画データと関連付けられている
ことを特徴とする請求項１に記載の作業支援装置。
【請求項３】
前記安全データは、特定の建築作業における過去の事故事例を示すデータを含む
ことを特徴とする請求項１または２に記載の作業支援装置。
【請求項４】
作業支援装置と通信可能な通信端末であって、
前記作業支援装置は、前記通信端末にて入力された入力情報に応じて、建築作業の補助となる動画データと、当該動画データに関連付けられた、前記建築作業を安全に実施するための留意事項を示す安全データとを特定するものであり、
前記入力情報を受け付ける入力部と、
前記作業支援装置から取得した前記動画データおよび前記安全データを表示する表示部と、を備えている
ことを特徴とする通信端末。
【請求項５】
前記安全データが示す前記留意事項が前記表示部に所定の時間以上表示されたかどうかを判定し、所定の時間以上表示された場合に、その旨を前記作業支援装置へ通知する閲覧通知部をさらに備えていることを特徴とする請求項４に記載の通信端末。
【請求項６】
作業支援装置および前記作業支援装置と通信可能な通信端末を用いて建築作業を支援する作業支援方法であって、
前記作業支援装置は、建築作業の補助となる動画データと、当該動画データに関連付けられた、前記建築作業を安全に実施するための留意事項を示す安全データとを備えており、
前記通信端末にて入力された検索条件に応じて、前記動画データおよび前記安全データを前記作業支援装置にて検索する動画検索ステップと、
前記動画検索ステップによる検索結果である動画データおよび安全データを前記通信端末にて表示する表示ステップと、を含む
ことを特徴とする作業支援方法。
【発明の詳細な説明】
【技術分野】
【０００１】
本発明は建築作業を支援するために用いられる作業支援装置、通信端末、および作業支援方法に関する。
【背景技術】
【０００２】
ネットワークを介してユーザに動画像データを提供するシステムが従来技術として知られている。例えば、特許文献１には、ネットワークを介してユーザに講義の動画像データとテキストデータを提供し、学習内容およびユーザの理解度に応じて理解度チェックの問題および確認テストの問題を提供するＥラーニングシステムが開示されている。
【先行技術文献】
【特許文献】
【０００３】
【特許文献１】特開２０１６−１１００７４号公報（２０１６年６月２０日公開）
【発明の概要】
【発明が解決しようとする課題】
【０００４】
しかしながら、前述のような従来技術は、反復学習による作業の効率化を実現するためには有効であるものの、現場における実作業では有効ではない場合がある。特に、建築作業などの危険が伴う作業では、一度きりの作業を安全に実施することが重要である。
【０００５】
本発明の一態様は、建築作業におけるユーザの作業の効率化および安全な作業の実施を可能とする作業支援装置を実現することを目的とする。
【課題を解決するための手段】
【０００６】
前記の課題を解決するために、本発明の一態様に係る作業支援装置は、通信端末と通信可能な作業支援装置であって、前記通信端末にて入力された検索条件に応じて、建築作業の補助となる動画データと、当該動画データに関連付けられた、前記建築作業を安全に実施するための留意事項を示す安全データとを検索する動画検索部と、前記動画データおよび前記安全データを前記通信端末へ送信する送信部と、を備えている構成である。
【０００７】
本発明の一態様に係る通信端末は、作業支援装置と通信可能な通信端末であって、前記作業支援装置は、前記通信端末にて入力された入力情報に応じて、建築作業の補助となる動画データと、当該動画データに関連付けられた、前記建築作業を安全に実施するための留意事項を示す安全データとを特定するものであり、前記入力情報を受け付ける入力部と、前記作業支援装置から取得した前記動画データおよび前記安全データを表示する表示部と、を備えている構成である。
【０００８】
本発明の一態様に係る作業支援方法は、作業支援装置および前記作業支援装置と通信可能な通信端末を用いて建築作業を支援する作業支援方法であって、前記作業支援装置は、建築作業の補助となる動画データと、当該動画データに関連付けられた、前記建築作業を安全に実施するための留意事項を示す安全データとを備えており、前記通信端末にて入力された検索条件に応じて、前記動画データおよび前記安全データを前記作業支援装置にて検索する動画検索ステップと、前記動画検索ステップによる検索結果である動画データおよび安全データを前記通信端末にて表示する表示ステップと、を含む方法である。
【発明の効果】
【０００９】
本発明の一態様によれば、建築作業におけるユーザの作業の効率化および安全な作業の実施が可能となる。
【図面の簡単な説明】
【００１０】
【図１】本発明の実施形態１に係る作業支援システムの要部構成の一例を示すブロック図である。
【図２】本発明の実施形態１に係る作業支援システムが有するテーブルの一例であり、（ａ）はユーザ情報テーブルを示し、（ｂ）は技能動画テーブルを示し、（ｃ）は安全データテーブルを示している。
【図３】本発明の実施形態１に係る作業支援システムにおいて、動画検索処理にて通信端末に表示される一連の画面遷移の概要を示す模式図である。
【図４】本発明の実施形態１に係る作業支援システムにおいて実行されるログイン〜ログアウト処理の一例を示すフローチャートである。
【図５】本発明の実施形態１に係る作業支援システムにおいて実行される動画検索処理の一例を示すフローチャートである。
【図６】本発明の実施形態１に係る作業支援システムにおいて、通信端末のユーザが作業支援装置にログインし、動画データおよび関連情報を登録する一連の流れの概要を示す模式図である。
【図７】本発明の実施形態１に係る作業支援システムにおいて通信端末が実行する動画登録処理の一例を示すフローチャートである。
【図８】本発明の実施形態１に係る作業支援システムにおいて、システム管理端末の管理者ユーザが作業支援装置にログインし、動画データおよび関連情報の内容を審査する一連の流れの概要を示す模式図である。
【図９】本発明の実施形態１に係るシステム管理端末の管理者ユーザが実施する動画審査処理の一例を示すフローチャートである。
【図１０】本発明の実施形態１に係るシステム管理端末の管理者ユーザが実施する安全データ登録処理の一例を示すフローチャートである。
【発明を実施するための形態】
【００１１】
〔実施形態１〕
以下、本発明の一実施形態について、図１〜９を用いて詳細に説明する。
【００１２】
（作業支援システムの構成）
本実施形態に係る作業支援システム１の構成について、図１および図２を用いて説明する。
【００１３】
作業支援システム１は、作業支援装置１００、通信端末２００、およびシステム管理端末３００を備えている。作業支援システム１は、作業支援装置１００および当該作業支援装置１００と通信可能な通信端末２００を用いて、当該通信端末２００のユーザによる建築作業を支援するシステムである。具体的には、以下の３つの機能を備えている。
【００１４】
１つ目の機能は、通信端末２００のユーザに対して建築作業の補助となる動画データおよび当該建築作業を安全に実施するための留意事項を示す安全データを作業支援装置１００から提供する機能である。安全データは、例えば特定の建築作業における過去の事故事例を示すデータであってもよい。
【００１５】
２つ目の機能は、通信端末２００のユーザが保有する動画データを、作業支援装置１００に登録する機能である。
【００１６】
３つ目の機能は、システム管理端末３００を使用する管理者ユーザが、当該システム管理端末３００を用いて、作業支援装置１００に登録されている動画データおよび当該動画データに関連する関連情報を審査する機能である。ここで、管理者ユーザは、作業支援装置１００を管理するためにシステム管理端末３００を操作する、作業支援システム１の維持管理を行う特別なユーザである。関連情報は、動画データおよび安全データに関連付けて保存されている情報であり、例えば建築作業の種類を示すカテゴリ情報を含む。以下の説明では、カテゴリ情報は、建築作業における各作業を３階層に分類して示すものである。この３階層は、建築作業の業種（業種または工種）、当該業種に含まれる個別の作業（カテゴリ１）、および当該作業を細分化した詳細な作業（カテゴリ２）からなる。しかしながら、カテゴリ情報のデータ構造は、これに限定される必要はない。
【００１７】
（作業支援装置の構成）
作業支援装置１００は、通信端末２００と通信可能な、例えばサーバである。図示の例において通信端末２００は１つであるが、通信端末２００は複数であってもよい。
【００１８】
作業支援装置１００は、通信部１０、装置制御部２０、および記憶部３０を備えており、装置制御部２０は、ユーザ認証部２１、動画検索部２２、動画保存部２３、および安全データ設定部２５を備えている。また、記憶部３０は、ユーザ情報テーブル３１、技能動画テーブル３２、安全データテーブル３３、技能動画３４、および安全データ３５を備えている。
【００１９】
通信部１０は、通信端末２００およびシステム管理端末３００との間で各種情報を送受信する。例えば、通信部１０は、動画データおよび安全データを通信端末へ送信する送信部として機能する。
【００２０】
装置制御部２０は、作業支援装置１００の各部を統括して制御する。装置制御部２０は、管理者ユーザが、システム管理端末３００を用いて動画データおよび関連情報を審査した後、管理者ユーザからの指示に従って、記憶部３０に格納されている、問題のある動画データおよび関連情報の修正を行う。
【００２１】
ユーザ認証部２１は、作業支援装置１００へアクセスしたユーザに対する認証を、ユーザ情報テーブル３１を用いて行う。
【００２２】
動画検索部２２は、通信端末２００にて入力された検索条件に応じて、動画データと、当該動画データに関連付けられた安全データとを検索する。安全データは、動画データに設定されているカテゴリ情報によって当該動画データに関連付けられている。例えば、動画データと同一のカテゴリ情報が設定された安全データが、当該動画データに関連付けられた安全データとして抽出される。なお、動画検索部２２は、動画データに関連付けられた安全データが複数あるときは、その中の１つを選択してもよいし、複数の安全データすべてを選択してもよい。
【００２３】
動画保存部２３は、通信端末２００およびシステム管理端末３００から受信した動画データおよび当該動画データに関連する関連情報を、データの種類ごとに記憶部３０の対応する領域に格納する。具体的には、動画データおよび当該動画データに付記されたコメントは技能動画３４に保存し、関連情報のうち、前述したカテゴリ情報を、動画データに関連付けて技能動画テーブル３２に保存する。
【００２４】
安全データ設定部２５は、安全データを、安全データテーブル３３および安全データ３５に設定する。例えば、安全データのみを受信したときは、当該安全データを安全データ３５に保存する。一方、安全データと当該安全データに関連付けられたカテゴリ情報とを受信したときは、安全データは安全データ３５に保存し、カテゴリ情報を安全データに関連付けて安全データテーブル３３に格納する。
【００２５】
記憶部３０は、作業支援装置１００にて取り扱う各種データを格納する。
【００２６】
ユーザ情報テーブル３１は、作業支援装置１００にログインするユーザに関する認証情報を格納している。図２の（ａ）に一例を示す。作業支援装置１００のユーザは「ユーザＮＯ．」によって一意に識別され、例えば「ユーザ名」および「パスワード」を用いて作業支援装置１００にログインする。このとき、「ユーザ種別」および「表示工種１〜３」の内容に応じて、通信端末２００やシステム管理端末３００などで表示される内容を異ならせてもよい。例えば、「ユーザ種別」および「表示工種１〜３」の内容に応じて、各種画面で押下できるボタンの表示有無を設定することにより、ユーザが実行可能な操作の種類を制御してもよい。
【００２７】
技能動画テーブル３２は、動画データに関連する関連情報を有している。図２の（ｂ）に一例を示す。「動画ファイル名」に記載された動画データのカテゴリ情報として、「工種」、「カテゴリ１」、および「カテゴリ２」が設定される。ここで、「動画ファイル名」は、技能動画３４に保存されている動画データのファイル名を示す。「工種」、「カテゴリ１」、および「カテゴリ２」は、カテゴリ情報の前述した３つの階層のそれぞれに対応している。「所有ユーザ」は動画データを登録したユーザの「ユーザＮＯ．」を示す。「公開フラグ」および「削除フラグ」は、動画データを、作業支援システム１を利用する通信端末２００のユーザ全体に公開するか否かを示すフラグ情報、および動画データが削除済みであるか否かを示すフラグ情報である。
【００２８】
安全データテーブル３３は、安全データに関する関連情報を格納している。図２の（ｃ）に一例を示す。「工種」、「カテゴリ１」、および「カテゴリ２」は、技能動画テーブル３２に示す内容と同様である。安全データテーブル３３は、「工種」、「カテゴリ１」、「カテゴリ２」、および「連番」の組み合わせによって一意にデータが管理される。「ファイル名」は、安全データ３５に含まれている、安全データのファイル名を示す。
【００２９】
技能動画３４は、動画データを含んでおり、必要に応じて当該動画データに付記されたコメントを含んでいる。安全データ３５は、動画データに対応する安全データを含んでいる。
【００３０】
（通信端末の構成）
通信端末２００は、作業支援装置１００と通信可能な、例えば一般的なスマートフォンなどの携帯端末である。ユーザは、建築作業を行う現場に通信端末２００を携帯し、当該現場にて通信端末２００を用い、動画データおよび安全データを閲覧することができる。
【００３１】
通信端末２００は、入力部２１０、表示部２２０、および端末制御部２３０を備えており、端末制御部２３０は、表示制御部２３１、動画登録部２３２、および閲覧通知部２３３を備えている。
【００３２】
入力部２１０は、ユーザの操作を受け付ける、例えば表示部２２０と一体に形成されたタッチパネルである。入力部２１０は、受け付けた内容を入力情報として端末制御部２３０へ送信する。表示部２２０は、作業支援システム１に関する各種画面、動画データ、および安全データを表示する、例えば液晶ディスプレイである。
【００３３】
端末制御部２３０は、通信端末２００の各部を統括して制御する。表示制御部２３１は、表示部２２０に表示する内容を制御する。動画登録部２３２は、入力部２１０を用いてユーザが指定した、例えば図示しない記憶部に保有する動画データを関連情報とともに作業支援装置１００へ送信する。
【００３４】
閲覧通知部２３３は、通信端末２００が作業支援装置１００から受信した動画データおよび安全データを当該通信端末２００のユーザが閲覧したか否かを判定し、閲覧したと判定したときは、その旨を当該作業支援装置１００へ通知する。閲覧通知部２３３において、通信端末２００のユーザが動画データおよび安全データを閲覧したか否かを判定する方法は、どのようなものであってもよい。例えば、安全データが示す留意事項が表示部２２０に所定の時間（例えば５分）以上表示されたかどうかを判定し、所定の時間以上表示された場合に、安全データが閲覧されたと閲覧通知部２３３が判定してもよい。
【００３５】
システム管理端末３００は、作業支援装置１００と通信可能な、例えば一般的なパソコンである。作業支援システム１を管理する管理者ユーザは、システム管理端末３００を用いて、動画データおよび関連情報の審査や、安全データの設定などを行う。
【００３６】
（ログイン〜動画データおよび安全データを閲覧するための操作）
本実施形態において、通信端末２００のユーザが作業支援装置１００にログインし、動画データおよび安全データを閲覧する一連の操作について、図３を用いて説明する。
【００３７】
まず、通信端末２００が作業支援装置１００にアクセスすると、表示部２２０にはログイン画面４０１が表示される。ユーザは、ユーザ情報テーブル３１に登録済みである自らのユーザ名およびパスワードを入力し、「ログイン」ボタンを押下する。
【００３８】
作業支援装置１００のユーザ認証部２１による認証が完了すると、表示部２２０にはメインメニュー画面４０２が表示される。図示の例において、「キーワードからさがす」欄にはユーザが入力部２１０を用いて任意の検索文字列（キーワード）を入力し、ボタンを押下すると、当該検索文字列に該当する動画データの一覧を含む動画一覧画面４０５へ遷移する。また、「業種からさがす」欄には建築作業の業種ごとにボタンが設けられており、これらの中から１つ業種を選択し、対応するボタンを押下すると、カテゴリ１選択画面４０３へ遷移する。
【００３９】
カテゴリ１選択画面４０３は、メインメニュー画面４０２にて選択された業種に紐付く個別の作業の一覧を含む画面である。例えば、カテゴリ１選択画面４０３には、技能動画テーブル３２および安全データテーブル３３にて「カテゴリ１」として設定された項目とを含む、個別の作業名が表示される。カテゴリ１選択画面４０３にて１つの作業名を選択し、対応するボタンを押下すると、カテゴリ２選択画面４０４へ遷移する。
【００４０】
カテゴリ２選択画面４０４は、カテゴリ１選択画面４０３にて選択された作業に紐付く詳細な作業の一覧を含む画面である。例えば、カテゴリ２選択画面４０４には、技能動画テーブル３２および安全データテーブル３３にて「カテゴリ２」として設定された項目とを含む、詳細な作業の名称が表示される。カテゴリ２選択画面４０４にて１つの詳細な作業を選択し、対応するボタンを押下すると、当該作業が技能動画テーブル３２の「カテゴリ２」に設定されている動画データの一覧を含む動画一覧画面４０５へ遷移する。
【００４１】
動画一覧画面４０５には、検索結果である動画データの一覧が表示される。動画一覧画面４０５にて１つの動画データを選択すると、動画閲覧画面４０６へ遷移する。
【００４２】
動画閲覧画面４０６は、動画一覧画面４０５にて選択された動画データ、および当該動画データに関連付けられた安全データが表示される。なお、他の情報が表示されてもよく、例えば動画に関するコメントが表示されてもよい。また、安全データは、例えばファイルへのリンクのみを表示し、ユーザが当該リンクを押下した場合のみ、ファイルの内容を表示するものであってもよい。さらに、動画データおよび安全データを閲覧した旨をユーザが入力する項目が設けられていてもよい。このとき、ユーザが前記項目へ入力を行ったことを閲覧通知部２３３が検知したとき、当該閲覧通知部２３３にてユーザが動画データおよび安全データを閲覧したと判定してもよい。
【００４３】
（ログイン〜ログアウト処理の流れ）
本実施形態に係る作業支援システム１が実施するログイン〜ログアウト処理の一例について、図４を用いて説明する。
【００４４】
まず、作業支援システム１は、作業支援装置１００にアクセスしたユーザが有する通信端末２００またはシステム管理端末３００に対して、ログイン画面４０１を出力する（Ｓ１）。その後、ログイン画面４０１にてログインボタンが押下されると（Ｓ２でＹＥＳ）、ユーザ認証部２１は、ログイン画面４０１にて入力された認証情報に該当するユーザが存在するか否かを判定する（Ｓ３）。ユーザが存在する場合（Ｓ３でＹＥＳ）、ユーザ認証部２１は、メインメニュー画面４０２を出力する（Ｓ４）。一方、ユーザが存在しない場合（Ｓ３でＮＯ）、ユーザ認証部２１は、エラーメッセージを出力し（Ｓ５）、処理はＳ２へ進む。
【００４５】
Ｓ４の後、ログアウトボタンが押下されるまでの間、作業支援装置１００は、通信端末２００またはシステム管理端末３００において、動画の検索が開始されると（Ｓ６でＹＥＳ）、後述する動画検索処理を実行する（Ｓ７）。また、動画の登録が開始されると（Ｓ８でＹＥＳ）、作業支援装置１００は、後述する動画登録処理を実行する（Ｓ９）。さらに、システム管理端末３００において管理者ユーザが動画の審査を開始すると（Ｓ１０でＹＥＳ）、後述する動画審査処理を実行する（Ｓ１１）。さらに、システム管理端末３００において管理者ユーザが安全データの登録を開始すると（Ｓ１２でＹＥＳ）、後述する安全データ登録処理を実行する（Ｓ１３）。そして、ログアウトボタンが押下されると（Ｓ１４でＹＥＳ）、作業支援装置１００はユーザをログアウトさせ、一連の処理を終了する。
【００４６】
（動画検索処理の流れ）
本実施形態に係る作業支援装置１００が実施する動画検索処理の一例について、図５を用いて説明する。
【００４７】
まず、動画検索部２２は、通信端末２００にて「キーワードからさがす」に対応するボタンが押下されたか否かを判定する（Ｓ２１）。ボタンが押下されなかった場合（Ｓ２１でＮＯ）、動画検索部２２は、さらに通信端末２００にて「業種にてさがす」より業種に対応するボタンが押下されたか否かを判定する（Ｓ２２）。一方、Ｓ２１にてボタンが押下された場合（Ｓ２１でＹＥＳ）、動画検索部２２は、通信端末２００にて入力された検索文字列（キーワード）に該当する動画データが存在するか否かを判定する（Ｓ２３）。存在する場合（Ｓ２３でＹＥＳ）、動画検索部２２は動画データの一覧を取得し、通信端末２００に動画一覧画面４０５として出力させる（Ｓ２９）。その後処理はＳ３１へ進む。一方、存在しない場合（Ｓ２３でＮＯ）、動画検索部２２は通信端末２００の表示部２２０にエラーメッセージを出力させる（Ｓ３０）。その後処理はＳ２１へ進む。
【００４８】
Ｓ２２において、業種に対応するボタンが押下された場合（Ｓ２２でＹＥＳ）、動画検索部２２は、選択された業種に含まれるカテゴリ１の作業一覧を取得し、通信端末２００にカテゴリ１選択画面４０３として出力させる（Ｓ２４）。一方、業種に対応するボタンが押下されなかった場合（Ｓ２２でＮＯ）、処理はＳ２１へ進む。
【００４９】
Ｓ２４の後、通信端末２００にてカテゴリ１の作業が選択された場合（Ｓ２５でＹＥＳ）、動画検索部２２は、選択されたカテゴリ１の作業に含まれるカテゴリ２の作業一覧を取得し、通信端末２００にカテゴリ２選択画面４０４として出力させる（Ｓ２６）。そして、通信端末２００にてカテゴリ２の作業が選択された場合（Ｓ２７でＹＥＳ）、動画検索部２２は、選択されたカテゴリ２の作業に該当する動画データの一覧を技能動画テーブル３２から取得し、通信端末２００に動画一覧画面４０５として出力させる（Ｓ２８）。
【００５０】
Ｓ２８およびＳ２９のいずれかにおいて１つの動画データが選択されると（Ｓ３１でＹＥＳ）、動画検索部２２は、選択された動画データを技能動画３４から取得する。そして、選択された動画データに対して設定されているカテゴリ情報を技能動画テーブル３２より取得する。取得したカテゴリ情報が設定されている安全データの「ファイル名」を安全データテーブル３３から抽出する。抽出した「ファイル名」に相当する安全データを、選択された動画データに関連付けられた安全データとして安全データ３５から取得する（Ｓ３２：動画検索ステップ）。そして、選択された動画データおよび当該動画データに関連付けられた安全データを、通信端末２００に動画閲覧画面４０６として出力し（Ｓ３３：表示ステップ）、その後呼び出し元へ戻る。
【００５１】
以上の処理によって、本実施形態に係る作業支援装置１００は、動画データを安全データとともに通信端末２００に送信することができる。これにより、通信端末２００のユーザは、動画データにしたがって作業を行うことで効率よく作業することができ、さらに安全データを確認することで作業時に発生しうるトラブルについて事前に把握することができる。
【００５２】
（動画登録における操作）
本実施形態において、通信端末２００のユーザが作業支援装置１００にログインし、動画データおよび関連情報を登録する一連の流れについて、図６を用いて説明する。
【００５３】
ユーザがメインメニュー画面４０２において「動画をアップロードする」ボタンを押下すると、登録する動画データを選択するための登録動画選択画面５０１へ遷移する。なお、登録動画選択画面５０１へ遷移する前に利用規約を表示し、ユーザが当該利用規約に同意したときのみ登録動画選択画面５０１へ遷移してもよい。登録動画選択画面５０１にて動画データを選択し「次へ」ボタンを押下すると、当該動画データに設定する業種が一覧で表示された業種設定画面５０２へ遷移する。業種設定画面５０２にて業種を設定すると、当該業種に含まれるカテゴリ１の作業が一覧で表示されたカテゴリ１設定画面５０３へ遷移する。カテゴリ１設定画面５０３にて作業を選択すると、当該作業に含まれるカテゴリ２の作業が一覧で表示されたカテゴリ２設定画面５０４へ遷移する。カテゴリ２設定画面５０４にて作業を設定すると、登録する動画データに付記するコメントを設定するコメント設定画面５０５へ遷移する。コメント設定画面５０５にて「次へ」ボタンを押下すると、アップロード決定画面５０６へ遷移する。アップロード決定画面５０６には、これから登録する動画データと、当該動画データに関連付けられる業種などの関連情報が表示される。アップロード決定画面５０６にて「アップロード」ボタンを押下すると、動画登録部２３２によって、動画データおよび関連情報が、作業支援装置１００へ送信される。そして、動画保存部２３によって、動画データおよび関連情報は記憶部３０の対応する領域に保存される。
【００５４】
（動画登録処理の流れ）
本実施形態に係る通信端末２００が実施する動画登録処理の一例について、図７を用いて説明する。
【００５５】
まず、動画登録部２３２は、メインメニュー画面４０２にて「動画をアップロードする」ボタンが押下され、かつ利用規約に合意する旨の入力がなされたか否かを判定する（Ｓ４１）。ボタン押下および入力がなされた場合（Ｓ４１でＹＥＳ）、表示制御部２３１は表示部２２０に登録動画選択画面５０１を表示し、アップロードする動画データを選択させる（Ｓ４２）。一方、ボタン押下および入力のいずれかがなされなかった場合（Ｓ４１でＮＯ）、動画登録部２３２は一連の処理を終了し、呼び出し元へ戻る。
【００５６】
Ｓ４２においてアップロードする動画データが選択されると、表示制御部２３１は表示部２２０に業種設定画面５０２を表示し、動画登録部２３２は、動画データに設定する、１階層目のカテゴリ情報である業種が選択されたか否かを判定する（Ｓ４３）。業種が選択されると（Ｓ４３でＹＥＳ）、表示制御部２３１は表示部２２０に、Ｓ４３で選択された業種に含まれる、２階層目のカテゴリ情報であるカテゴリ１の作業の一覧を含むカテゴリ１設定画面５０３を表示する（Ｓ４４）。その後、動画登録部２３２は、作業が選択されたか否かを判定する（Ｓ４５）。作業が選択されると（Ｓ４５でＹＥＳ）、表示制御部２３１は表示部２２０に、Ｓ４５で選択された作業に含まれる、３階層目のカテゴリ情報であるカテゴリ２の作業の一覧を含むカテゴリ２設定画面５０４を表示する（Ｓ４６）。
【００５７】
Ｓ４６の後、動画登録部２３２は、カテゴリ２の作業が選択されたか否かを判定する（Ｓ４７）。カテゴリ２の作業が選択されると（Ｓ４７でＹＥＳ）、表示制御部２３１は表示部２２０に、コメント設定画面５０５を表示し、ユーザに動画データの関連情報として、当該動画データに付記するコメントを入力させる（Ｓ４８）。その後、表示制御部２３１は表示部２２０にアップロード決定画面５０６を表示する。アップロード決定画面５０６にて「アップロード」ボタンが押下されると（Ｓ４９）、動画登録部２３２は動画データおよび関連情報を作業支援装置１００へ送信し、当該作業支援装置１００の動画保存部２３によって記憶部３０の対応する領域に保存される。
【００５８】
以上の処理によって、本実施形態に係る通信端末２００は、動画データおよび関連情報を作業支援装置１００に登録することができる。これにより、例えば通信端末２００のユーザが自ら撮影した、建築作業の補助となる動画データを作業支援装置１００に登録し、別のユーザによって当該動画データを参照することができる。すなわち、特定のユーザが有していたノウハウの共有化に資することができる。
【００５９】
（動画審査における操作）
本実施形態において、システム管理端末３００の管理者ユーザが作業支援装置１００にログインし、動画データおよび関連情報の内容を審査する一連の流れについて、図８を用いて説明する。
【００６０】
ユーザがメインメニュー画面４０２において「動画を審査する」ボタンを押下すると、審査する動画データを選択するための審査対象選択画面６０１へ遷移する。審査対象となる動画データは、例えば技能動画テーブル３２において「公開フラグ」が「非公開」である動画データのみが抽出されてもよい。審査対象選択画面６０１にて動画データが選択されると、業種／カテゴリ修正画面６０２へ遷移する。業種／カテゴリ修正画面６０２には、例えば動画データに現在設定されている業種、当該業種に含まれる個別の作業（カテゴリ１）、および当該作業を細分化した詳細な作業（カテゴリ２）が表示される。ユーザは「修正する」ボタンを押下した後、これらの情報を修正することができる。
【００６１】
業種およびカテゴリに関する修正をスキップ、または修正が完了すると、動画修正画面６０３へ遷移する。動画修正画面６０３では、例えば動画データをシステム管理端末３００にダウンロードし、適宜修正を行った後、アップロードすることで動画データを差替えることができる。
【００６２】
動画の修正をスキップ、または修正が完了すると、動画コメント修正画面６０４へ遷移する。動画コメント修正画面６０４には、例えば動画データに現在付記されているコメントが表示される。ユーザは「修正する」ボタンを押下した後、これらの情報を修正することができる。
【００６３】
コメントの修正をスキップ、または修正が完了すると、審査完了画面６０６へ遷移する。審査完了画面６０６では、これまで審査してきた動画データ、および当該動画データの関連情報が表示される。審査完了画面６０６にて「公開する」ボタンを押下すると、装置制御部２０によって、各種情報が更新される。このとき、審査された動画データに関する技能動画テーブル３２のレコードは、その「公開フラグ」が「公開」に更新される。
【００６４】
（動画審査処理の流れ）
本実施形態に係るシステム管理端末３００の管理者ユーザが実施する動画審査処理の一例について、図９を用いて説明する。
【００６５】
まず、システム管理端末３００の管理者ユーザは作業支援装置１００へログインする。そして、メインメニュー画面４０２において「動画を審査する」ボタンを押下し、動画審査処理を開始する。動画審査処理の開始後、管理者ユーザは、審査対象選択画面６０１にて審査する動画データを選択し、業種／カテゴリ修正画面６０２から当該動画データに対して現在設定されている業種およびカテゴリに問題はないかを審査する（Ｓ５１）。業種およびカテゴリに問題がないと審査した場合（Ｓ５１でＹＥＳ）、管理者ユーザは動画修正画面６０３にて動画データに問題があるか否かを審査する（Ｓ５３）。一方、業種およびカテゴリに問題があると審査した場合（Ｓ５１でＮＯ）、管理者ユーザは業種／カテゴリ修正画面６０２より業種およびカテゴリを修正する（Ｓ５２）。その後、処理はＳ５３へ進む。
【００６６】
Ｓ５３において動画データに問題がないと審査した場合（Ｓ５３でＹＥＳ）、管理ユーザは、動画コメント修正画面６０４から当該動画データに現在付記されているコメントに問題はないかを審査する（Ｓ５５）。一方、動画データに問題があると審査した場合（Ｓ５３でＮＯ）、管理者ユーザは動画修正画面６０３より動画データを修正（差替え）する（Ｓ５４）。その後、処理はＳ５５へ進む。
【００６７】
Ｓ５５においてコメントに問題がないと審査した場合（Ｓ５５でＹＥＳ）、管理者ユーザは、審査完了画面６０６にて審査結果に問題がなければ「公開する」ボタンを押下し、審査した動画データを公開する（Ｓ５８）。一方、コメントに問題があると審査した場合（Ｓ５５でＮＯ）、管理者ユーザは動画コメント修正画面６０４よりコメントを修正する（Ｓ５６）。その後、管理者ユーザはＳ５８の処理にて「公開する」ボタンを押下し、審査した動画データを公開する。
【００６８】
（安全データ登録処理の流れ）
本実施形態に係るシステム管理端末３００の管理者ユーザが実施する安全データ登録処理の一例について、図１０を用いて説明する。なお、以下の説明において、図６から流用可能な画面イメージがあれば、適宜参照して説明する。
【００６９】
まず、システム管理端末３００の管理者ユーザは作業支援装置１００へログインする。そして、メインメニュー画面４０２において「安全データを登録する」ボタンを押下し、安全データ登録処理を開始する。安全データ登録処理の開始後、管理者ユーザは、遷移後の画面（仮に安全データ選択画面と呼称する）から、作業支援装置１００へアップロードする安全データを選択する（Ｓ６１）。その後、管理者ユーザは、安全データ選択画面の遷移先である次の画面（図６の業種設定画面５０２）において、安全データに設定する、１階層目のカテゴリ情報である業種を選択する（Ｓ６２）。業種が選択されると（Ｓ６２でＹＥＳ）、業種設定画面５０２の遷移先である次の画面（図６のカテゴリ１設定画面５０３）が表示される（Ｓ６３）。管理者ユーザは、カテゴリ１設定画面５０３において、安全データに設定するカテゴリ１の作業を選択する（Ｓ６４）。カテゴリ１の作業が選択されると（Ｓ６４でＹＥＳ）、カテゴリ１設定画面５０３の遷移先である次の画面（図６のカテゴリ２設定画面５０４）が表示される（Ｓ６５）。管理者ユーザは、カテゴリ２設定画面５０４において、安全データに設定するカテゴリ２の作業を選択する（Ｓ６６）。その後、カテゴリ２の作業が選択されると（Ｓ６６でＹＥＳ）、カテゴリ２設定画面５０４の遷移先である次の画面（図６のアップロード決定画面５０６）が表示されるので、管理者ユーザは、「アップロード」ボタンを押下する（Ｓ６７）。
【００７０】
Ｓ６７の後、システム管理端末３００から作業支援装置１００へ安全データおよびカテゴリ情報が送信される。作業支援装置１００の安全データ設定部２５は、受信したこれらのデータについて、安全データを安全データ３５に保存し、カテゴリ情報を安全データテーブル３３に格納する。
【００７１】
以上の処理によって、システム管理端末３００の管理者ユーザは、作業支援装置１００に安全データをアップロードし、当該安全データに対するカテゴリ情報を設定することができる。
【００７２】
なお、カテゴリ情報は必ずしもすべての項目を設定しなくてもよい。例えば、業種のみを設定し、カテゴリ１およびカテゴリ２は未設定のままであってもよい。
【００７３】
以上の処理によって、システム管理端末３００の管理者ユーザは、動画データおよび関連情報を審査し、必要に応じて修正した動画データおよび関連情報を公開することができる。これにより、例えばプライバシー情報が含まれる動画データといった、継続して公開するには不適切なデータについて、適宜修正することができる。
【００７４】
〔変形例〕
前記実施形態１において、作業支援システム１は、前述の３つの機能以外の機能を備えていてもよい。例えば、作業支援システム１は、安全データを追加する機能を備えていてもよい。より具体的には、管理者ユーザがシステム管理端末３００を用いて安全データを都度追加してもよい。さらに、安全データ設定部２５は、安全データを備える図示しない外部のサーバから定期的に安全データを取得し、作業支援装置１００の安全データ３５に保存してもよい。このとき、安全データ設定部２５は、安全データテーブル３３について、新たに保存した安全データに対して設定されるカテゴリ情報として仮のデータを設定してもよいし、管理者ユーザが個々の安全データを確認し、適切なカテゴリ情報を設定してもよい。
【００７５】
前記実施形態１において、動画閲覧画面４０６として表示されている動画データを閲覧した通信端末２００のユーザは、当該動画データに対して評価を付加することができてもよい。例えば、閲覧通知部２３３は、動画データおよび安全データを閲覧した旨の通知とともに、当該動画データに対する評価を作業支援装置１００へ送信してもよい。さらに、作業支援装置１００は、例えば複数のユーザから受信した評価の内容に基づいて動画データを評価してもよいし、高評価を受けた動画データを検索結果の上位に表示させてもよい。
【００７６】
〔ソフトウェアによる実現例〕
作業支援装置１００の制御ブロック（特に動画検索部２２）および通信端末２００の制御ブロック（特に閲覧通知部２３３）は、集積回路（ＩＣチップ）等に形成された論理回路（ハードウェア）によって実現してもよいし、ソフトウェアによって実現してもよい。
【００７７】
後者の場合、作業支援装置１００および通信端末２００は、各機能を実現するソフトウェアであるプログラムの命令を実行するコンピュータを備えている。このコンピュータは、例えば１つ以上のプロセッサを備えていると共に、前記プログラムを記憶したコンピュータ読み取り可能な記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００７８】
〔まとめ〕
本発明の態様１に係る作業支援装置（１００）は、通信端末（２００）と通信可能な作業支援装置であって、前記通信端末にて入力された検索条件に応じて、建築作業の補助となる動画データ（技能動画３４）と、当該動画データに関連付けられた、前記建築作業を安全に実施するための留意事項を示す安全データ（３５）とを検索する動画検索部（２２）と、前記動画データおよび前記安全データを前記通信端末へ送信する送信部（通信部１０）と、を備えている構成である。
【００７９】
前記の構成によれば、作業支援装置は、建築作業の補助となる動画データを安全データとともに通信端末に送信することができる。これにより、通信端末のユーザは、動画データにしたがって作業を行うことで効率よく作業することができ、さらに安全データを確認することで作業時に発生しうるトラブルについて事前に把握することができる。したがって、ユーザの作業の効率化および安全な作業の実施を可能とすることができる。
【００８０】
本発明の態様２に係る作業支援装置（１００）は、前記態様１において、前記安全データ（３５）は、建築作業の種類を示すカテゴリ情報に基づいて、前記動画データ（技能動画３４）と関連付けられている構成としてもよい。
【００８１】
前記の構成によれば、作業支援装置は、動画データが示す建築作業の種類に関連付けられた安全データを通信端末へ送信することで当該通信端末のユーザへ注意を喚起することができる。
【００８２】
本発明の態様３に係る作業支援装置（１００）は、前記態様１または２において、前記安全データは、特定の建築作業における過去の事故事例を示すデータを含む構成としてもよい。
【００８３】
前記の構成によれば、通信端末のユーザが過去の事故事例を確認してから作業を開始することによって事故の発生を抑制することができる。
【００８４】
本発明の態様４に係る通信端末（２００）は、作業支援装置（１００）と通信可能な通信端末であって、前記作業支援装置は、前記通信端末にて入力された入力情報に応じて、建築作業の補助となる動画データ（技能動画３４）と、当該動画データに関連付けられた、前記建築作業を安全に実施するための留意事項を示す安全データ（３５）とを特定するものであり、前記入力情報を受け付ける入力部（２１０）と、前記作業支援装置から取得した前記動画データおよび前記安全データを表示する表示部（２２０）と、を備えている構成である。
【００８５】
前記の構成によれば、通信端末は、作業支援装置を用いて建築作業の補助となる動画データを安全データとともに表示する。これにより、通信端末のユーザは、動画データにしたがって作業を行うことで効率よく作業することができ、さらに安全データを確認することで作業時に発生しうるトラブルについて事前に把握することができる。したがって、ユーザの作業の効率化および安全な作業の実施を可能とすることができる。
【００８６】
本発明の態様５に係る通信端末（２００）は、前記態様４において、前記安全データ（３５）が示す前記留意事項が前記表示部（２１０）に所定の時間以上表示されたかどうかを判定し、所定の時間以上表示された場合に、その旨を前記作業支援装置（１００）へ通知する閲覧通知部をさらに備えている構成としてもよい。
【００８７】
前記の構成によれば、通信端末は、安全データが閲覧されたことを作業支援装置に通知する。これにより、例えば通信端末のユーザが安全データを確認してから作業を開始したか否かを作業支援装置にて確認することができる。
【００８８】
本発明の態様６に係る作業支援方法は、作業支援装置（１００）および前記作業支援装置と通信可能な通信端末（２００）を用いて建築作業を支援する作業支援方法であって、前記作業支援装置は、建築作業の補助となる動画データ（技能動画３４）と、当該動画データに関連付けられた、前記建築作業を安全に実施するための留意事項を示す安全データ（３５）とを備えており、前記通信端末にて入力された検索条件に応じて、前記動画データおよび前記安全データを前記作業支援装置にて検索する動画検索ステップ（Ｓ３２）と、前記動画検索ステップによる検索結果である動画データおよび安全データを前記通信端末にて表示する表示ステップ（Ｓ３３）と、を含む方法である。前記の構成によれば、前記態様１と同様の作用効果を奏する。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９０】
１  作業支援システム、  １００  作業支援装置１０００  通信部（送信部）、  ２２  動画検索部、  ３４  技能動画、  ３５  安全データ、  ２００  通信端末、  ２１０  入力部、  ２２０  表示部、  ２３３  閲覧通知部、  Ｓ３２  動画検索ステップ、  Ｓ３３  表示ステップ
【図１】
2019079361.tif 000003
【図２】
2019079361.tif 000004
【図３】
2019079361.tif 000005
【図４】
2019079361.tif 000006
【図５】
2019079361.tif 000007
【図６】
2019079361.tif 000008
【図７】
2019079361.tif 000009
【図８】
2019079361.tif 000010
【図９】
2019079361.tif 000011
【図１０】
2019079361.tif 000012